(57)【要約】【課題】スティッキング現象を抑制することが可能なサーマルプリントヘッドを提供すること。【解決手段】基板１と、基板１に支持された発熱抵抗体３と、発熱抵抗体３に通電するための電極２と、発熱抵抗体３を覆う保護膜５と、を備えるサーマルプリントヘッドＡ１であって、保護膜５は、高熱伝導率層５１と、高熱伝導率層５１よりも熱伝導率が低く、かつ高熱伝導率層５１よりも発熱抵抗体３から離間している低熱伝導率層５２とを含んでいる。【選択図】  図１
2008036923.tif 000002
【特許請求の範囲】
【請求項１】
基板と、
上記基板に支持された発熱抵抗体と、
上記発熱抵抗体に通電するための電極と、
上記発熱抵抗体を覆う保護膜と、
を備えるサーマルプリントヘッドであって、
上記保護膜は、高熱伝導率部と、上記高熱伝導率部よりも熱伝導率が低く、かつ上記高熱伝導率部よりも上記発熱抵抗体から離間している低熱伝導率部とを含んでいることを特徴とする、サーマルプリントヘッド。
【請求項２】
上記保護膜は、高熱伝導率層と、上記高熱伝導率層の材質よりも熱伝導率が低い材質からなり、上記高熱伝導率層よりも上記発熱抵抗体から離間している低熱伝導率層とが積層された構造とされている、請求項１に記載のサーマルプリントヘッド。
【請求項３】
上記高熱伝導率層は、ＳｉＣ、ＳｉＮ、またはサイアロンからなり、
上記低熱伝導率層は、ＴａＮからなる、請求項２に記載のサーマルプリントヘッド。
【請求項４】
上記保護膜は、その厚さ方向において上記発熱抵抗体から離間するほど熱伝導率が低くなっている、請求項１に記載のサーマルプリントヘッド。
【発明の詳細な説明】
【技術分野】
【０００１】
本発明は、サーマルプリンタの構成部品として用いられるサーマルプリントヘッドに関する。
【背景技術】
【０００２】
サーマルプリントヘッドは、基板などに形成された発熱抵抗体に適宜通電することにより、印刷対象である感熱紙などの適所を局所的に昇温させることにより任意の画像や文字を印刷するデバイスである（たとえば特許文献１参照）。図５は、従来のサーマルプリントヘッドの一例を示している。同図に示されたサーマルプリントヘッドＸは、部分グレーズ９２が形成された基板９１上に、副走査方向に延びる部分を有する電極９３が配置されている。この電極９３を跨ぐように、主走査方向に延びる発熱抵抗体９４が形成されている。発熱抵抗体９４は、保護膜９５によって覆われている。保護膜９５に押し付けられたたとえば感熱紙を、副走査方向に相対動させながら、電極９３を介して発熱抵抗体９４に対して断続的に通電する。この通電によって発熱抵抗体９４が発熱する。保護膜９５を介して上記感熱紙に伝熱されると、感熱紙に塗布された感熱体が発色し、所望の画像や文字を印刷することができる。
【０００３】
しかしながら、印刷対象がサーマルプリントヘッドＸに張り付いてしまうスティッキング現象や、さらなる印刷速度の高速化への対応などを目的として、保護膜９５を適切に構成することが求められる。たとえば、高速化に対応するには、保護膜９５をより硬質なものとするとともに、その熱伝導率を高めることが有利である。一方、保護膜９５の熱伝導率を高めるほど、上記感熱紙の温度上昇および温度降下が急激になる。すると、上記感熱紙の感熱体を定着させるレジン樹脂などが、温度上昇によって溶融した後に急冷されることにより、固化するとともに保護膜９５に付着してしまう。これによってスティッキング現象が誘発される。このように、適切に印刷するための要請を十分に満たすように保護膜９５を構成することは困難であった。
【０００４】
【特許文献１】特開２００２−２００５号公報
【発明の開示】
【発明が解決しようとする課題】
【０００５】
本発明は、上記した事情のもとで考え出されたものであって、スティッキング現象を抑制することが可能なサーマルプリントヘッドを提供することをその課題とする。
【課題を解決するための手段】
【０００６】
本発明によって提供されるサーマルプリントヘッドは、基板と、上記基板に支持された発熱抵抗体と、上記発熱抵抗体に通電するための電極と、上記発熱抵抗体を覆う保護膜と、を備えるサーマルプリントヘッドであって、上記保護膜は、高熱伝導率部と、上記高熱伝導率部よりも熱伝導率が低く、かつ上記高熱伝導率部よりも上記発熱抵抗体から離間している低熱伝導率部とを含んでいることを特徴としている。
【０００７】
このような構成によれば、上記高熱伝導率部の厚さと上記低熱伝導率部の厚さとを適切に設定することにより、上記保護膜の総括熱伝達係数を調節することが可能である。これにより、上記サーマルプリントヘッドの印刷対象であるたとえば感熱紙の温度上昇および温度降下の程度を適切に調節することが可能である。したがって、印刷速度を不当に低下させること無く、スティッキング現象を抑制することができる。
【０００８】
本発明の好ましい実施の形態においては、上記保護膜は、高熱伝導率層と、上記高熱伝導率層の材質よりも熱伝導率が低い材質からなり、上記高熱伝導率層よりも上記発熱抵抗体から離間している低熱伝導率層とが積層された構造とされている。このような構成によれば、比較的高熱伝導率である部分と比較的低熱伝導率である部分とを明瞭に形成することが可能であり、それぞれの厚さを容易に設定できる。したがって、感熱紙などの温度上昇および温度降下の程度を調節するのに適している。
【０００９】
本発明の好ましい実施の形態においては、上記高熱伝導率層は、ＳｉＣ、ＳｉＮ、またはサイアロンからなり、上記低熱伝導率層は、ＴａＮからなる。このような構成によれば、上記高熱伝導率層と上記低熱伝導率層との熱伝導率を適正な関係に設定することが可能である。特にＴａＮからなる上記低熱伝導率層は、スティッキング現象の抑制に好適である。
【００１０】
本発明の好ましい実施の形態においては、上記保護膜は、その厚さ方向において上記発熱抵抗体から離間するほど熱伝導率が低くなっている。このような構成によっても、印刷速度を不当に低下させること無く、スティッキング現象を抑制することができる。また、上記保護膜を、その内部に複数の層どうしの境界面が存在しないものとすることが可能である。これは、上記保護膜の剥離防止に有利である。
【００１１】
本発明のその他の特徴および利点は、添付図面を参照して以下に行う詳細な説明によって、より明らかとなろう。
【発明を実施するための最良の形態】
【００１２】
以下、本発明の好ましい実施の形態につき、図面を参照して具体的に説明する。
【００１３】
図１および図２は、本発明に係るサーマルプリントヘッドの第１実施形態を示している。本実施形態のサーマルプリントヘッドＡ１は、基板１、電極２、発熱抵抗体３、ガラス層４、保護膜５を備えている。なお、図２においては、理解の便宜上、電極２および発熱抵抗体３以外の要素を省略している。
【００１４】
基板１は、主走査方向に延びた平面視矩形状の絶縁基板であり、たとえばアルミナセラミック製である。基板１には、部分グレーズ１１が形成されている。部分グレーズ１１は、主走査方向に延びてた帯状であり、その断面形状が基板１の厚さ方向に膨出している。
【００１５】
電極２は、発熱抵抗体３に通電するためのものであり、図２に示すように共通電極２１と複数の個別電極２２とを含んでいる。共通電極２１は、主走査方向に延びる帯状部分と、副走査方向に櫛歯状に延びる複数の枝状部分とが連結された形状とされている。複数の個別電極は、その先端部分が上記複数の枝状部分と交互に主走査方向に沿って配列されている。電極２は、たとえばレジネートＡｕペーストを厚膜印刷した後に焼成を施すことにより形成される。
【００１６】
発熱抵抗体３は、サーマルプリントヘッドＡ１の発熱源である。発熱抵抗体３は、主走査方向に延びる帯状とされており、共通電極２１の上記複数の枝状部分および複数の個別電極２２の先端部分を跨いでいる。共通電極２１といずれかの個別電極２２とが通電すると、発熱抵抗体３のうち上記枝状部分と上記先端部分とに挟まれた部分が発熱する。発熱抵抗体３は、たとえば、酸化ルテニウムペーストを厚膜印刷した後に焼成を施すことにより形成される。
【００１７】
ガラス層４は、部分グレーズ１１、電極２、および発熱抵抗体３を覆っている。ガラス層４は、たとえばガラスペーストを厚膜印刷した後に焼成を施すことにより形成される。本実施形態においては、ガラス層４は、その厚さが６．０μｍ程度とされる。
【００１８】
保護膜５は、ガラス層４を介して発熱抵抗体３を覆っており、高熱伝導率層５１、低熱伝導率層５２、および硬質層５３からなる。高熱伝導率層５１は、ＳｉＣからなり、その厚さが３．０μｍ程度とされる。低熱伝導率層５２は、その熱伝導率が高熱伝導率層５１の熱伝導率よりも低い層である。本実施形態においては、低熱伝導率層５２は、ＴａＮからなり、その厚さが０．８μｍ程度とされる。硬質層５３は、たとえば導電性サイアロンからなり、その厚さが０．２μｍ程度とされる。硬質層５３は、比較的薄い層であるが、非常に硬質な材質からなるため、サーマルプリントヘッドＡ１が感熱紙などとの摩擦によって損傷することを防ぐ役割を果たす。高熱伝導率層５１、低熱伝導率層５２、および硬質層５３は、たとえばスパッタリングによって形成される。
【００１９】
次に、サーマルプリントヘッドＡ１の作用について説明する。
【００２０】
本実施形態によれば、サーマルプリントヘッドＡ１の印刷対象であるたとえば感熱紙の温度上昇および温度降下の程度を適切に調節することができる。すなわち、保護膜５全体の総括熱伝達係数は、高熱伝導率層５１、低熱伝導率層５２、および硬質層５３の熱伝導率および厚さで決まる。このうち、相対的に厚さが厚い高熱伝導率層５１、低熱伝導率層５２が上記総括熱伝達係数を決定する大きな因子となっている。高熱伝導率層５１は、ＳｉＣからなるため、比較的熱伝導率が高い。一方、低熱伝導率層５２は、ＴａＮからなるため、比較的熱伝導率が低い。これらの高熱伝導率層５１および低熱伝導率層５２の厚さを適切に設定することにより、上記総括熱伝達係数を調節することが可能である。
【００２１】
たとえば、高熱伝導率層５１の厚さを厚くするほど、上記総括熱伝達係数を大きくすることが可能であり、印刷速度の高速化を図ることができる。一方、温度上昇および温度降下が急激過ぎると、印刷対象である感熱紙の種類によっては、感熱体を定着させているレジン樹脂が温度上昇によって溶融した後に、急激な温度降下によって固化し、保護膜５に付着してしまう。この付着によって、感熱紙の送り動作が妨げられるスティッキング現象が生じる。本実施形態によれば、高熱伝導率層５１および低熱伝導率層５２の厚さを上述した適切な厚さとすることにより、印刷速度を不当に低下させること無く、スティッキング現象を抑制することができる。特に、発明者らの研究によれば、低熱伝導率層５２としてＴａＮからなるものを用いれば、スティッキング現象の抑制に好適であることが分かった。
【００２２】
図３は、本発明の第２実施形態を示している。なお、これらの図において、上記実施形態と同一または類似の要素には、上記実施形態と同一の符号を付している。本実施形態のサーマルプリントヘッドＡ２は、保護膜５の構成が上述した実施形態と異なっている。
【００２３】
サーマルプリントヘッドＡ２の保護膜５は、たとえばＳｉＣからなる単層の膜として形成されている。保護膜５は、その厚さｔ５が４．０μｍ程度とされている。保護膜５においては、その厚さ方向位置と熱伝導率λとが図４に示す関係とされている。図４の縦軸は、発熱抵抗体３から遠ざかるほど大となる厚さ方向を示している。保護膜５のうちもっとも発熱抵抗体３寄りの部分は、その熱伝導率λがλHとされている。この部分は、本発明で言う高熱伝導率部に相当する。一方、保護膜５のうち発熱抵抗体３からもっとも離間した部分は、その熱伝導率λがλL（ただし、λL＜λH）とされている。この部分は、本発明で言う低熱伝導率部に相当する。保護膜５内においては、厚さ方向位置と熱伝導率λとが線形関係となっている。このような保護膜５は、たとえばスパッタリングを用いて、形成開始時点から形成完了時点にかけてガス圧を徐々に高めることにより形成することができる。
【００２４】
このような実施形態によっても、感熱紙の温度上昇および温度降下の程度を適切に調節可能であり、印刷速度を不当に低下させること無く、スティッキング現象を抑制することができる。また、保護膜５を単層として形成すれば、保護膜５内に複数の層どうしの境界面が存在しないものとなる。これは、剥離防止を図るのに有利である。
【００２５】
本発明に係るサーマルプリントヘッドは、上述した実施形態に限定されるものではない。本発明に係るサーマルプリントヘッドの各部の具体的な構成は、種々に設計変更自在である。
【図面の簡単な説明】
【００２６】
【図１】本発明に係るサーマルプリントヘッドの第１実施形態を示す要部断面図である。
【図２】本発明に係るサーマルプリントヘッドの第１実施形態を示す要部平面図である。
【図３】本発明に係るサーマルプリントヘッドの第２実施形態を示す要部断面図である。
【図４】本発明に係るサーマルプリントヘッドの第２実施形態の保護膜の厚さ方向位置と熱伝導率との関係を示すグラフである。
【図５】従来のサーマルプリントヘッドの一例を示す要部断面図である。
【符号の説明】
【００２７】
Ａ１，Ａ２  サーマルプリントヘッド
１      基板
１１    部分グレーズ
２      電極
３      発熱抵抗体
４      ガラス層
５      保護膜
５１    高熱伝導率層
５２    低熱伝導率層
５３    硬質層
【図１】
2008036923.tif 000003
【図２】
2008036923.tif 000004
【図３】
2008036923.tif 000005
【図４】
2008036923.tif 000006
【図５】
2008036923.tif 000007